(57)【要約】【課題】コンピュータネットワークを介して、会員に、当該会員を起点とする連鎖的紹介により順次加入した子孫会員数を含む会員情報を開示することができるシステムの提供。【解決手段】入会アクセスを受けたときに、会員ＩＤを付与し、当該会員ＩＤ及びアクセス情報を含むＱＲコードを作成する手段と、当該ＱＲコード付き待ち受け画面を作成して会員にダウンロードさせる手段と、当該ＱＲコードの入力による入会アクセスの場合、当該ＱＲコード中の既会員の会員ＩＤを紹介親ＩＤとして付加して会員情報テーブルに格納する手段と、連鎖的全紹介親ＩＤを紹介履歴情報テーブルに格納する手段と、当該紹介履歴情報テーブルにより子孫会員数を索出すると共に、当該会員情報テーブルにより子孫会員に関する情報を索出して会員端末に表示する手段とを有する紹介履歴管理システム。【選択図】図２
2010191901.tif 000002
【特許請求の範囲】
【請求項１】
コンピュータネットワークを介して、会員に、当該会員を起点とする連鎖的紹介により順次加入した子孫会員の会員数を含む会員情報を開示する紹介履歴管理システムであって、
少なくとも会員毎の会員情報テーブルと紹介履歴情報テーブルを有する会員情報データベースを備え、かつ
参加希望者端末から入会アクセスを受けたときに、送信されてきた端末識別番号が会員情報テーブル中に存在するか否かにより、当該参加希望者が既会員か否かを判断する手段と、
当該参加希望者が既会員である場合には、その旨当該参加希望者端末に通知する手段と、
当該参加希望者が既会員でない場合には、当該参加希望者端末に会員登録用画面を表示する手段と、
当該参加希望者端末から会員登録用画面に所定の会員登録情報の入力を受けたときに、当該参加希望者に会員ＩＤを付与してマイページを作成すると共に、少なくとも当該端末識別番号、当該会員登録情報、当該会員ＩＤ、当該マイページを会員情報テーブルに格納する手段と、
当該参加希望者端末からの入会アクセスが、既会員の会員ＩＤ及びシステムへのアクセス情報を含むＱＲコードの入力によるアクセスであった場合、当該既会員の会員ＩＤを紹介親ＩＤとして参加希望者の会員ＩＤに付加して会員情報テーブルに格納する手段と、
当該既会員の会員情報テーブルにより、当該紹介親ＩＤとされた既会員の会員ＩＤに更に他の既会員の会員ＩＤが紹介親ＩＤとして付加されているか否かを検索し、付加されている場合には順次同様な紹介親ＩＤ検索を繰り返し、索出された全ての紹介親ＩＤを直系先祖ＩＤとして、参加希望者の会員ＩＤに付加して紹介履歴情報テーブルに格納する手段と、
当該参加希望者の会員ＩＤ及びシステムへのアクセス情報を含むＱＲコードを作成すると共に、当該ＱＲコード付きの待ち受け画面を作成し、そのダウンロード用画面を当該参加希望者端末に表示する手段と、
当該参加希望者端末から当該待ち受け画面のダウンロードの入力情報を受けたときに、当該待ち受け画面と当該参加希望者のマイページに通じる画面を当該参加希望者端末にダウンロードさせる手段と、
会員端末からマイページを通じて、子孫会員数を含む情報の開示請求アクセスを受けたときに、当該会員の会員ＩＤが直系先祖ＩＤとして付加されている全ての紹介履歴情報テーブルを索出することにより当該会員を起点とする連鎖的紹介により順次加入した子孫会員数を算出して当該会員端末に表示すると共に、当該子孫会員の会員情報テーブルにより子孫会員に関する情報を索出し、統計処理して当該会員端末に表示する手段とを
有することを特徴とする紹介履歴管理システム。
【請求項２】
コンピュータネットワークを介して、会員に、当該会員を起点とする連鎖的紹介により順次加入した子孫会員の会員数を含む会員情報を開示する紹介履歴開示方法あって、
参加希望者端末から入会アクセスを受けたときに、送信されてきた端末識別番号が会員情報テーブル中に存在するか否かにより、当該参加希望者が既会員か否かを判断する手順と、
当該参加希望者が既会員である場合には、その旨当該参加希望者端末に通知する手順と、
当該参加希望者が既会員でない場合には、当該参加希望者端末に会員登録用画面を表示する手順と、
当該参加希望者端末から会員登録用画面に所定の会員登録情報の入力を受けたときに、当該参加希望者に会員ＩＤを付与してマイページを作成すると共に、少なくとも当該端末識別番号、当該会員登録情報、当該会員ＩＤ、当該マイページを会員情報テーブルに格納する手順と、
当該参加希望者端末からの入会アクセスが、既会員の会員ＩＤ及びシステムへのアクセス情報を含むＱＲコードの入力によるアクセスであった場合、当該既会員の会員ＩＤを紹介親ＩＤとして参加希望者の会員ＩＤに付加して会員情報テーブルに格納する手順と、
当該既会員の会員情報テーブルにより、当該紹介親ＩＤとされた既会員の会員ＩＤに更に他の既会員の会員ＩＤが紹介親ＩＤとして付加されているか否かを検索し、付加されている場合には順次同様な紹介親ＩＤ検索を繰り返し、索出された全ての紹介親ＩＤを直系先祖ＩＤとして、参加希望者の会員ＩＤに付加して紹介履歴情報テーブルに格納する手順と、
当該参加希望者の会員ＩＤ及びシステムへのアクセス情報を含むＱＲコードを作成すると共に、当該ＱＲコード付きの待ち受け画面を作成し、そのダウンロード用画面を当該参加希望者端末に表示する手順と、
当該参加希望者端末から当該待ち受け画面のダウンロードの入力情報を受けたときに、当該待ち受け画面と当該参加希望者のマイページに通じる画面を当該参加希望者端末にダウンロードさせる手順と、
会員端末からマイページを通じて、子孫会員数を含む情報の開示請求アクセスを受けたときに、当該会員の会員ＩＤが直系先祖ＩＤとして付加されている全ての紹介履歴情報テーブルを索出することにより当該会員を起点とする連鎖的紹介により順次加入した子孫会員数を算出して当該会員端末に表示すると共に、当該子孫会員の会員情報テーブルにより子孫会員に関する情報を索出し、統計処理して当該会員端末に表示する手順とを
有することを特徴とする紹介履歴開示方法。
【請求項３】
コンピュータネットワークを介して、会員に、当該会員を起点とする連鎖的紹介により順次加入した子孫会員数を含む会員情報を開示するための紹介履歴管理プログラムであって、コンピュータに、
コンピュータネットワークを介して参加希望者端末から入会アクセスを受けたときに、送信されてきた端末識別番号が会員情報テーブル中に存在するか否かにより、当該参加希望者が既会員か否かを判断する手順と、
当該参加希望者が既会員である場合には、その旨当該参加希望者端末に通知する手順と、
当該参加希望者が既会員でない場合には、当該参加希望者端末に会員登録用画面を表示する手順と、
当該参加希望者端末から会員登録用画面に所定の会員登録情報の入力を受けたときに、当該参加希望者に会員ＩＤを付与してマイページを作成すると共に、少なくとも当該端末識別番号、当該会員登録情報、当該会員ＩＤ、当該マイページを会員情報テーブルに格納する手順と、
当該参加希望者端末からの入会アクセスが、既会員の会員ＩＤ及びシステムへのアクセス情報を含むＱＲコードの入力によるアクセスであった場合、当該既会員の会員ＩＤを紹介親ＩＤとして参加希望者の会員ＩＤに付加して会員情報テーブルに格納する手順と、
当該既会員の会員情報テーブルにより、当該紹介親ＩＤとされた既会員の会員ＩＤに更に他の既会員の会員ＩＤが紹介親ＩＤとして付加されているか否かを検索し、付加されている場合には順次同様な紹介親ＩＤ検索を繰り返し、索出された全ての紹介親ＩＤを直系先祖ＩＤとして、参加希望者の会員ＩＤに付加して紹介履歴情報テーブルに格納する手順と、
当該参加希望者の会員ＩＤ及びシステムへのアクセス情報を含むＱＲコードを作成すると共に、当該ＱＲコード付きの待ち受け画面を作成し、そのダウンロード用画面を当該参加希望者端末に表示する手順と、
当該参加希望者端末から当該待ち受け画面のダウンロードの入力情報を受けたときに、当該待ち受け画面と当該参加希望者のマイページに通じる画面を当該参加希望者端末にダウンロードさせる手順と、
会員端末からマイページを通じて、子孫会員数を含む情報の開示請求アクセスを受けたときに、当該会員の会員ＩＤが直系先祖ＩＤとして付加されている全ての紹介履歴情報テーブルを索出することにより当該会員を起点とする連鎖的紹介により順次加入した子孫会員数を算出して当該会員端末に表示すると共に、当該子孫会員の会員情報テーブルにより子孫会員に関する情報を索出し、統計処理して当該会員端末に表示する手順とを
実行させるための紹介履歴管理プログラム。
【発明の詳細な説明】
【技術分野】
【０００１】
本発明は、コンピュータネットワークを介して、会員に、当該会員を起点とする連鎖的紹介により順次加入した子孫会員の会員数を含む会員情報を開示するための紹介履歴管理システム、方法及びプログラムに関する。
【背景技術】
【０００２】
従来、コンピュータネットワークを介して情報を転送することにより、順次同一情報を共有することは行なわれているが、先順位の情報発信者が後順位の情報受信者数を把握するシステムは未だ存在していなかったため、当該情報が自己を起点として何人に広まったかを確認することは事実上不可能なことであった。
因に、記載すべき先行技術文献情報は存在しない。
【発明の概要】
【発明が解決しようとする課題】
【０００３】
本発明は、上記の如き従来の実状に鑑みてなされたもので、コンピュータネットワークを介して、会員に、当該会員を起点とする連鎖的紹介により順次加入した子孫会員の会員数を含む会員情報を開示することができる紹介履歴情報管理システム、方法及びプログラムを提供することを課題としている。
【課題を解決するための手段】
【０００４】
本発明は、コンピュータネットワークを介して、会員に、当該会員を起点とする連鎖的紹介により順次加入した子孫会員の会員数を含む会員情報を開示する紹介履歴管理システムであって、
少なくとも会員毎の会員情報テーブルと紹介履歴情報テーブルを有する会員情報データベースを備え、かつ
参加希望者端末から入会アクセスを受けたときに、送信されてきた端末識別番号が会員情報テーブル中に存在するか否かにより、当該参加希望者が既会員か否かを判断する手段と、
当該参加希望者が既会員である場合には、その旨当該参加希望者端末に通知する手段と、
当該参加希望者が既会員でない場合には、当該参加希望者端末に会員登録用画面を表示する手段と、
当該参加希望者端末から会員登録用画面に所定の会員登録情報の入力を受けたときに、当該参加希望者に会員ＩＤを付与してマイページを作成すると共に、少なくとも当該端末識別番号、当該会員登録情報、当該会員ＩＤ、当該マイページを会員情報テーブルに格納する手段と、
当該参加希望者端末からの入会アクセスが、既会員の会員ＩＤ及びシステムへのアクセス情報を含むＱＲコードの入力によるアクセスであった場合、当該既会員の会員ＩＤを紹介親ＩＤとして参加希望者の会員ＩＤに付加して会員情報テーブルに格納する手段と、
当該既会員の会員情報テーブルにより、当該紹介親ＩＤとされた既会員の会員ＩＤに更に他の既会員の会員ＩＤが紹介親ＩＤとして付加されているか否かを検索し、付加されている場合には順次同様な紹介親ＩＤ検索を繰り返し、索出された全ての紹介親ＩＤを直系先祖ＩＤとして、参加希望者の会員ＩＤに付加して紹介履歴情報テーブルに格納する手段と、
当該参加希望者の会員ＩＤ及びシステムへのアクセス情報を含むＱＲコードを作成すると共に、当該ＱＲコード付きの待ち受け画面を作成し、そのダウンロード用画面を当該参加希望者端末に表示する手段と、
当該参加希望者端末から当該待ち受け画面のダウンロードの入力情報を受けたときに、当該待ち受け画面と当該参加希望者のマイページに通じる画面を当該参加希望者端末にダウンロードさせる手段と、
会員端末からマイページを通じて、子孫会員数を含む情報の開示請求アクセスを受けたときに、当該会員の会員ＩＤが直系先祖ＩＤとして付加されている全ての紹介履歴情報テーブルを索出することにより当該会員を起点とする連鎖的紹介により順次加入した子孫会員数を算出して当該会員端末に表示すると共に、当該子孫会員の会員情報テーブルにより子孫会員に関する情報を索出し、統計処理して当該会員端末に表示する手段とを
有することを特徴とする紹介履歴管理システムにより上記課題を解決したものである。
【０００５】
また本発明は、コンピュータネットワークを介して、会員に、当該会員を起点とする連鎖的紹介により順次加入した子孫会員の会員数を含む会員情報を開示する紹介履歴開示方法あって、
参加希望者端末から入会アクセスを受けたときに、送信されてきた端末識別番号が会員情報テーブル中に存在するか否かにより、当該参加希望者が既会員か否かを判断する手順と、
当該参加希望者が既会員である場合には、その旨当該参加希望者端末に通知する手順と、
当該参加希望者が既会員でない場合には、当該参加希望者端末に会員登録用画面を表示する手順と、
当該参加希望者端末から会員登録用画面に所定の会員登録情報の入力を受けたときに、当該参加希望者に会員ＩＤを付与してマイページを作成すると共に、少なくとも当該端末識別番号、当該会員登録情報、当該会員ＩＤ、当該マイページを会員情報テーブルに格納する手順と、
当該参加希望者端末からの入会アクセスが、既会員の会員ＩＤ及びシステムへのアクセス情報を含むＱＲコードの入力によるアクセスであった場合、当該既会員の会員ＩＤを紹介親ＩＤとして参加希望者の会員ＩＤに付加して会員情報テーブルに格納する手順と、
当該既会員の会員情報テーブルにより、当該紹介親ＩＤとされた既会員の会員ＩＤに更に他の既会員の会員ＩＤが紹介親ＩＤとして付加されているか否かを検索し、付加されている場合には順次同様な紹介親ＩＤ検索を繰り返し、索出された全ての紹介親ＩＤを直系先祖ＩＤとして、参加希望者の会員ＩＤに付加して紹介履歴情報テーブルに格納する手順と、
当該参加希望者の会員ＩＤ及びシステムへのアクセス情報を含むＱＲコードを作成すると共に、当該ＱＲコード付きの待ち受け画面を作成し、そのダウンロード用画面を当該参加希望者端末に表示する手順と、
当該参加希望者端末から当該待ち受け画面のダウンロードの入力情報を受けたときに、当該待ち受け画面と当該参加希望者のマイページに通じる画面を当該参加希望者端末にダウンロードさせる手順と、
会員端末からマイページを通じて、子孫会員数を含む情報の開示請求アクセスを受けたときに、当該会員の会員ＩＤが直系先祖ＩＤとして付加されている全ての紹介履歴情報テーブルを索出することにより当該会員を起点とする連鎖的紹介により順次加入した子孫会員数を算出して当該会員端末に表示すると共に、当該子孫会員の会員情報テーブルにより子孫会員に関する情報を索出し、統計処理して当該会員端末に表示する手順とを
有することを特徴とする紹介履歴開示方法により上記課題を解決したものである。
【０００６】
また本発明は、コンピュータネットワークを介して、会員に、当該会員を起点とする連鎖的紹介により順次加入した子孫会員数を含む会員情報を開示するための紹介履歴管理プログラムであって、コンピュータに、
コンピュータネットワークを介して参加希望者端末から入会アクセスを受けたときに、送信されてきた端末識別番号が会員情報テーブル中に存在するか否かにより、当該参加希望者が既会員か否かを判断する手順と、
当該参加希望者が既会員である場合には、その旨当該参加希望者端末に通知する手順と、
当該参加希望者が既会員でない場合には、当該参加希望者端末に会員登録用画面を表示する手順と、
当該参加希望者端末から会員登録用画面に所定の会員登録情報の入力を受けたときに、当該参加希望者に会員ＩＤを付与してマイページを作成すると共に、少なくとも当該端末識別番号、当該会員登録情報、当該会員ＩＤ、当該マイページを会員情報テーブルに格納する手順と、
当該参加希望者端末からの入会アクセスが、既会員の会員ＩＤ及びシステムへのアクセス情報を含むＱＲコードの入力によるアクセスであった場合、当該既会員の会員ＩＤを紹介親ＩＤとして参加希望者の会員ＩＤに付加して会員情報テーブルに格納する手順と、
当該既会員の会員情報テーブルにより、当該紹介親ＩＤとされた既会員の会員ＩＤに更に他の既会員の会員ＩＤが紹介親ＩＤとして付加されているか否かを検索し、付加されている場合には順次同様な紹介親ＩＤ検索を繰り返し、索出された全ての紹介親ＩＤを直系先祖ＩＤとして、参加希望者の会員ＩＤに付加して紹介履歴情報テーブルに格納する手順と、
当該参加希望者の会員ＩＤ及びシステムへのアクセス情報を含むＱＲコードを作成すると共に、当該ＱＲコード付きの待ち受け画面を作成し、そのダウンロード用画面を当該参加希望者端末に表示する手順と、
当該参加希望者端末から当該待ち受け画面のダウンロードの入力情報を受けたときに、当該待ち受け画面と当該参加希望者のマイページに通じる画面を当該参加希望者端末にダウンロードさせる手順と、
会員端末からマイページを通じて、子孫会員数を含む情報の開示請求アクセスを受けたときに、当該会員の会員ＩＤが直系先祖ＩＤとして付加されている全ての紹介履歴情報テーブルを索出することにより当該会員を起点とする連鎖的紹介により順次加入した子孫会員数を算出して当該会員端末に表示すると共に、当該子孫会員の会員情報テーブルにより子孫会員に関する情報を索出し、統計処理して当該会員端末に表示する手順とを
実行させるための紹介履歴管理プログラムにより上記課題を解決したものである。
【発明の効果】
【０００７】
本発明によれば、会員が参加希望者に待ち受け画面を見せ、その待ち受け画面中のＱＲコードを参加希望者の携帯電話機等の端末に取り込ませることにより、ＱＲコード中の会員の会員ＩＤが紹介親として順次会員情報データベースに格納されるので、会員はコンピュータネットワークを介して、自己を起点とする連鎖的紹介により順次加入した子孫会員の総数を知ることができる。また会員は、会員情報データベースにより、例えば当該子孫会員の所在都道府県別会員数、男・女別会員数、年齢層別会員数を含む会員情報を知ることができる。
【０００８】
従って、例えばファミリーレストランが新商品の「ハンバーガー」を発売した場合、当該「ハンバーガーの会」を設立して本発明システムを運営し、当該新商品の「ハンバーガー」の広告情報を取り込んだ待ち受け画面を作成すれば、当該待ち受け画面中のＱＲコードを参加希望者の携帯電話機等の端末に入力する際、すなわち子孫紹介時に当該待ち受け画面中の「ハンバーガー」の広告も順次子孫会員に閲覧される結果、当該連鎖的子孫紹介が必然的に当該「ハンバーガー」を広告したことにもなるので、獲得子孫会員数に応じて当該「ハンバーガー」と交換可能なポイントを付与すれば、当該「ハンバーガー」の販売促進にも利用することができる。因に、この場合の会員紹介網は、当該「ハンバーガーの会」の会員網となる。
【０００９】
また、特に、入力を受けるべき会員登録情報中に、当該「ハンバーガー」について、「食べたことがあるか」、「値段は手頃か」等のアンケート事項を含めれば、当該「ハンバーガーの会」の運営者たるファミリーレストランは、当該「ハンバーガー」について消費者の動向や評価、あるいは改善点に関する情報の入手も可能となる。
【図面の簡単な説明】
【００１０】
【図１】本発明システムの概略構成説明図。
【図２】新規会員登録処理ステップの概略フローチャート。
【図３】会員情報テーブルの概略構成説明図。
【図４】直系先祖ＩＤの検索法を示す概略フローチャート。
【図５】紹介履歴情報テーブルの概略構成説明図。
【図６】紹介履歴開示処理ステップの概略フローチャート。
【図７】会員紹介網の模式図。
【発明を実施するための形態】
【００１１】
以下本発明の実施の形態を図面と共に説明する。
【００１２】
図１は本発明システムの概略構成説明図である。該図１において、１はシステム全体を統轄的に制御する紹介履歴管理サーバで、前記の処理手順を実行させるための紹介履歴管理プログラムを格納し、かつ少なくとも会員毎の会員情報テーブル２ａと紹介履歴情報テーブル２ｂを有すると共に、会員登録用画面を格納している会員情報データベース２を備えている。また、この紹介履歴管理サーバ１には、インターネット５を介して参加希望者端末３及び会員端末４が接続通信可能となっている。尚、当該参加希望者端末３や会員端末４としては特に限定されないが、携帯電話機が簡便である。
【００１３】
次に、本発明システムにおける新規会員登録処理の作動例を、当該新規会員登録処理ステップの概略フローチャートを示す図２に基いて説明する。
【００１４】
まず、携帯電話機等の参加希望者端末３からインターネット５を介して紹介履歴管理サーバ１が入会アクセスを受けると、紹介履歴管理サーバ１が作動開始し（ステップ１０）、送信されてきた参加希望者端末３の端末識別番号が会員情報テーブル２ａ中に存在するか否かを検索し（ステップ１１）、当該端末識別番号が索出された場合には当該参加希望者が既会員であると判断して、その旨当該参加希望者端末３に通知する（ステップ１２）。この場合、当該会員の会員情報テーブル２ａから既に作成されている当該会員のマイページを索出して当該参加希望者端末３に表示し、会員情報の開示請求を促すようにしても良い（ステップ１２ａ）。以上により既会員の二重登録が防止される。
【００１５】
他方、当該端末識別番号が索出されなかった場合、紹介履歴管理サーバ１は当該参加希望者が既会員でないと判断して、当該参加希望者端末３に、会員情報データベース２から、入会に必要な会員情報の提供を受けるための会員登録用画面を表示する（ステップ１３）。
【００１６】
次いで、紹介履歴管理サーバ１は、当該参加希望者端末３から会員登録用画面に所定の会員登録情報の入力を受けたときに、当該参加希望者に、その会員固有の会員ＩＤを付与してマイぺージを作成すると共に、少なくとも当該参加希望者の端末識別番号、当該入力を受けた会員登録情報、当該付与された会員ＩＤ、当該作成されたマイページを会員情報テーブル２ａに格納する（ステップ１４）。
【００１７】
ここに、入力を受けるべき会員登録情報は、会の目的に応じて適宜選定されるが、例えば会員の所在都道府県名、性別、年齢、アンケート事項等が挙げられる。
【００１８】
また、紹介履歴管理サーバ１は、当該参加希望者端末３からの入会アクセスが、既会員の会員ＩＤ及びシステムへのアクセス情報（ＵＲＬ）を含むＱＲコードの入力によるか否かを識別し、ＱＲコードの入力によるアクセスであった場合（ステップ１５）には、当該既会員の会員ＩＤを紹介親ＩＤとして参加希望者の会員ＩＤに付加して会員情報テーブルに格納する（ステップ１６）。
而して、この場合当該参加希望者の会員情報テーブル２ａは、例えば図７に示される会員Ｅ１が参加希望者である場合、図３に示されるように、当該参加希望者の会員ＩＤ００４１、当該参加希望者を紹介した親会員Ｄ１の会員ＩＤ００３１、当該参加希望者の端末識別番号、当該参加希望者が入力した会員登録情報及び当該参加希望者のマイページで構成される。
他方、ＱＲコードの入力によるアクセスでなかった場合には、以下のステップ１６〜１８を経ることなく後述のステップ１９に移る。
【００１９】
また、紹介履歴管理サーバ１は、図４に示すように、当該既会員の会員情報テーブル２ａにより、当該紹介親ＩＤとされた既会員の会員ＩＤに更に他の既会員の会員ＩＤが紹介親ＩＤとして付加されているか否かを検索し（ステップ１７）、付加されている場合には順次同様な検索を繰り返し、索出された全ての紹介親ＩＤを直系先祖ＩＤとして参加希望者からの世代数と共に、参加希望者の会員ＩＤに付加して紹介履歴情報テーブル２ｂに格納する（ステップ１８）。
而して、この場合、例えば、図４に示す例では、紹介親ＩＤとされた既会員Ｄ１の会員ＩＤ００３１に更に紹介親ＩＤとして既会員Ｃ１の会員ＩＤ００２１が、更に当該既会員Ｃ１の会員ＩＤ００２１に紹介親ＩＤとして既会員Ｂ１の会員ＩＤ００１１が、更に当該既会員Ｂ１の会員ＩＤ００１１に紹介親ＩＤとして既会員Ａ１の会員ＩＤ０００１がそれぞれ付加されているので、当該参加希望者Ｅ１の紹介履歴情報テーブル２ｂは、例えば図５（１）に示されるように、当該参加希望者の会員ＩＤ００４１、全直系先祖ＩＤ００３１，００２１，０００１及び当該参加希望者から順次起点となった既参加者までの世代数１，２，３，４で構成される。同様に、会員Ｄ１の紹介履歴情報テーブルは図５（２）に示されるように、また会員Ｄ２の紹介履歴情報テーブルは図５（３）に示されるように構成される。この紹介履歴情報テーブルにより、子孫会員数の高速算出処理が可能となる。
他方、更に他の会員が紹介親ＩＤとして付加されていない場合は、上記のステップ１８を経ることなく、以下のステップ１９に移る。
【００２０】
また、紹介履歴管理サーバ１は、当該参加希望者の会員ＩＤ及びシステムへのアクセス情報（ＵＲＬ）を含むＱＲコードを作成すると共に、当該ＱＲコード付きの待ち受け画面を作成し、そのダウンロード用画面を当該参加希望者端末３に表示する（ステップ１９）。この場合、当該待ち受け画面に広告情報を取り込めば、前述したような連鎖的な広告効果が得られる。
【００２１】
次いで、紹介履歴管理サーバ１は、当該参加希望者端末３から当該待ち受け画面のダウンロードの入力情報を受けたときに、当該待ち受け画面と当該参加希望者のマイページに通じる画面を当該参加希望者端末３にダウンロードさせ（ステップ２０）、会員登録処理を終了する（ステップ２１）。
【００２２】
次に、本発明システムにおける紹介履歴開示処理の作動例を、当該紹介履歴開示処理ステップの概略フローチャートを示す図６に基いて説明する。
【００２３】
まず、会員端末４から当該会員のマイページを通じて、少なくとも子孫会員数を含む会員情報の開示請求アクセスを受けると、紹介履歴管理サーバ１が作動開始（ステップ１００）し、当該会員の会員ＩＤが直系先祖ＩＤとして付加されている全ての紹介履歴情報テーブル２ｂを索出することにより当該会員を起点とする連鎖的紹介により順次加入した子孫会員数を算出して当該会員端末４に表示する（ステップ１０１）。
【００２４】
例えば図７に示されるような会員紹介網の場合、会員ＩＤ００４１（会員Ｅ１）の紹介履歴情報テーブルには、図５（１）に示されるように、直系先祖ＩＤとして順次紹介親ＩＤたる００３１、００２１及び０００１がそれぞれの世代数１、２、３、４と共に格納されている。
また、会員ＩＤ００３１（会員Ｄ１）の紹介履歴情報テーブルには図５（２）に示されるように、直系先祖ＩＤとして順次紹介親ＩＤたる００２１、００１１及び０００１がそれぞれの世代数１、２、３と共に格納されている。
また、会員ＩＤ００３２（会員Ｄ２）の紹介履歴情報テーブルには、図５（３）に示されるように、直系先祖ＩＤとして順次紹介親ＩＤたる００２１、００１１及び０００１がそれぞれの世代数１、２、３と共に格納されている。
【００２５】
而して、例えば、会員ＩＤ００２１（会員Ｃ１）の会員端末から開示請求アクセスがあった場合、本発明システムによれば、会員ＩＤ００２１が直系先祖ＩＤとして付加格納されている紹介履歴情報テーブルは、図５（１）〜（３）に示される会員ＩＤ００４１、会員ＩＤ００３１及び会員ＩＤ００３２の３テーブルであるため、会員ＩＤ００２１を起点とする連鎖的紹介により順次加入した子孫総数は３名であることが直ちに判明し、当該会員端末４に表示されると共に、当該会員ＩＤ００２１までの世代数は最遠子孫（会員ＩＤ００４１）で２、最近子孫（会員ＩＤ００３１及び００３２）で１であることが表示される。
【００２６】
また、紹介履歴管理サーバ１は当該全子孫会員の会員情報テーブル２ａにより子孫会員に関する情報を索出し、統計処理してその結果を当該会員端末４に表示する（ステップ１０２）。例えば、会員ＩＤ００２１（会員Ｃ１）の子孫会員の所在都道府県別会員数、男・女別会員数、年齢層別会員数等が当該会員端末４に表示される。
【００２７】
上記の情報表示により紹介履歴開示処理を終了する（ステップ１０３）。
【符号の説明】
【００２８】
１：紹介履歴管理サーバ
２：会員情報データベース
２ａ：会員情報テーブル
２ｂ：紹介履歴情報テーブル
３：参加希望者端末
４：会員端末
５：インターネット
【図１】
2010191901.tif 000003
【図２】
2010191901.tif 000004
【図３】
2010191901.tif 000005
【図４】
2010191901.tif 000006
【図５】
2010191901.tif 000007
【図６】
2010191901.tif 000008
【図７】
2010191901.tif 000009